(57)【特許請求の範囲】
【請求項１】
内部に通気層（ａ１，ａ２）を備えたセメント板（Ｐａ，Ｐａ´）と断熱層（Ｐｂ）とを層着した断熱複合パネル（Ｐ，Ｐ０）を外壁（Ｗ）に備えた建物であって、外壁上端では、該パネル（Ｐ，Ｐ０）のセメント板（Ｐａ，Ｐａ´）上端前部にブラケット（１６）を適宜間隔で固定し、前端の立下り板（３Ｆ）と、天端水平板（３Ｕ）と、天端水平板（３Ｕ）の後部の立上り片（３Ｂ）下端から後方に延出する下段水平板（３Ｄ）、とを備えた笠木（３）の内部前端をブラケット（１６）に係止すると共に、下段水平板（３Ｄ）を断熱複合パネル（Ｐ，Ｐ０）上部に固定し、断熱複合パネル（Ｐ，Ｐ０）の通気層（ａ１，ａ２）からの空気流（ｆ）を笠木（３）の立下り板（３Ｆ）から放出する、外断熱建物に於ける外壁上端の通気構造。
【請求項２】
外壁面が段差（ＷＤ）を有し、該段差（ＷＤ）部では、断熱複合パネル（Ｐ，Ｐ０）上端面に固定した段差継ぎ部材（２１）に、両側から笠木（３）端部を嵌入して笠木（３）を配置した請求項１の外壁上端の通気構造。
【請求項３】
段差継ぎ部材（２１）が、段差（ＷＤ）部を被覆する天端面板（２１Ｕ）と前部立下り片（２１Ｆ）と小口閉塞用の側部立下り片（２１Ｆ´）とを備え、該継ぎ部材（２１）の両側から、突出側の笠木端（３Ｅ）は、天端水平板（３Ｕ）を天端面板（２１Ｕ）下面に、立下り板（３Ｆ）を前部立下り片（２１Ｆ）の内面に挿入し、入り込み側の笠木端（３Ｅ´）は、天端水平板（３Ｕ）を天端面板（２１Ｕ）の下面に、立下り板（３Ｆ）を側部立下り片（２１Ｆ´）の後部溝（２１Ｇ）に挿入する、請求項２の外壁上端の通気構造。
【請求項４】
外壁（Ｗ）が、断熱複合パネル（Ｐ，Ｐ０）とコンクリート壁（ＷＣ）との一体化した耐力壁（Ｗ０）部と、断熱複合パネル（Ｐ）のみから成る帳壁（Ｗ１）部とを備えている、請求項１乃至３のいずれか１項の外壁上端の通気構造。
【請求項５】
耐力壁（Ｗ０）部は、内面に条溝（ａ２）を有するセメント板（Ｐａ´）と断熱層（Ｐｂ）とを層着した耐力壁複合パネル（Ｐ０）を、コンクリート壁（ＷＣ）と一体化形成し、帳壁（Ｗ１）部は、内部に貫通孔（ａ１）を有するセメント板（Ｐａ）と断熱層（Ｐｂ）とを層着してアングル鋼材の上枠（１０ｔ）及び下枠（１０ｂ）を備えた帳壁複合パネル（Ｐ）のみで形成した請求項４の外壁上端の通気構造。
【請求項６】
帳壁複合パネル（Ｐ）のセメント板厚（Ｔ１）は耐力壁複合パネル（Ｐ０）のセメント板厚（Ｔ１´）より大であり、帳壁複合パネル（Ｐ）と耐力壁複合パネル（Ｐ０）とは断熱層厚（Ｔ２）が同一であり、且つ、両複合パネル（Ｐ，Ｐ０）の断熱層（Ｐｂ）を面一形態に配置した、請求項５の外壁上端の通気構造。
【請求項７】
ブラケット（１６）は、下段水平片（１６Ｄ）と上段水平片（１６Ｕ）とを有し、下段水平片（１６Ｄ）をセメント板（Ｐａ，Ｐａ´）上端前部に前後方向調整して取付けた、請求項１乃至６のいずれか１項の外壁上端の通気構造。
【請求項８】
ブラケット（１６）は、セメント板（Ｐａ，Ｐａ´）上端前部に下段水平片（１６Ｄ）の前後方向長孔（Ｈ１６）を介して固定し、上段水平片（１６Ｕ）の前端を笠木（３）の内部前端に嵌入係止した、請求項７の外壁上端の通気構造。
【請求項９】
笠木（３）の下段水平板（３Ｄ）の上面に防水層（４ａ）を延設固着し、天端水平板（３Ｕ）後端と防水層上面（Ｓ４）との隙間（Ｇ４）にはシーリング（４ｄ）を充填した請求項１乃至８のいずれか１項の外壁上端の通気構造。
【請求項１０】
笠木（３）の下段水平板（３Ｄ）を、帳壁（Ｗ１）部にあっては帳壁複合パネル（Ｐ）の上枠（１０ｔ）に、耐力壁（Ｗ０）部にあっては耐力壁複合パネル（Ｐ０）の断熱層（Ｐｂ）上端の板材（１１）に固定した、請求項５乃至９のいずれか１項の外壁上端の通気構造。
【請求項１１】
笠木（３）とブラケット（１６）とを含み、笠木（３）が、天端水平板（３Ｕ）と前端からの立下り板（３Ｆ）を連設すると共に、天端水平板（３Ｕ）の後部の立上り片（３Ｂ）下端から後方に延出する下段水平板（３Ｄ）を連設し、立下り板（３Ｆ）の上部から内方への突出片（３Ｍ）によって係合溝（３Ｇ）を形成し、ブラケット（１６）が、上段水平片（１６Ｕ）と垂直片（１６Ｆ）と下段水平片（１６Ｄ）から成り、下段水平片（１６Ｄ）には取付用の前後方向の長孔（Ｈ１６）を有する笠木金具。
【請求項１２】
笠木（３）が、立上り片（３Ｂ）下端から前方に延出する突出片（３Ｄ´）を備えた、請求項１１の笠木金具。
【請求項１３】
突出片（３Ｄ´）が基部に切込溝（３ａ）を備えた請求項１２の笠木金具。
【発明の詳細な説明】
【０００１】
【発明の属する技術分野】
本発明は、鉄筋コンクリート造や鉄骨造の外断熱建築物に於ける外壁上端の通気構造に関するものであり、より詳しくは、通気層を備えた外壁上端への笠木の取付構造及び使用する笠木金物に関するものであり、鉄筋コンクリート造や鉄骨造建物の建築分野に属するものである。
【０００２】
【従来の技術】
従来より建築物の外壁を形成している外装材の頂部には、外装と屋上部の見切り材として、また、屋上部の防水の端部抑えとして各種笠木が採用されている。従来の笠木は、大別すると、オープン笠木とアングル笠木とがあり、図８（Ａ）がオープン笠木の典型例であり、図８（Ｂ）がアングル笠木の典型例である。
【０００３】
図８（Ａ）は、オープン笠木を通気層型建物に適用した例であって、オープン笠木は、図示の如く、コンクリートのパラペット上端にブラケットを介して取付けるものであり、パラペット上端に敷設した断熱層及び該断熱層上面を被覆する防水層の上部から、ナイロンプラグ等でパラペット全幅を覆う形態のブラケットを長孔で調節してパラペットに固定し、ブラケットの屈曲下降した前端及び後端に、オープン笠木の面板の前端及び後端の立下り片の端縁の爪部を嵌合係止し、外壁の断熱層及び外装材の上端をオープン笠木でカバーし、通気層から上昇する空気を、矢印ｆの如く、外装材の外面と笠木の立下り片との間隔から外方へ放出するものである。
【０００４】
アングル笠木は、図８（Ｂ）に示す如く、面板と立下り片とから成る断面アングル形態であって、床スラブ、又はパラペットのコンクリートを被覆した防水層上に面板を当接して、面板の後部の膨出部をナイロンプラグ等でコンクリートに打込み固定し、防水層の端部を平滑に抑えると共に、立下り片によって雨水の防水層端部への浸入を阻止するものである。
【０００５】
【発明が解決しようとする課題】
図８（Ａ）のオープン笠木にあっては、シーリング不要で笠木と防水層との通気空間を外気が流通して雨水の浸入を防止し、外壁の通気層からの上昇空気流ｆも外部に放出出来、直線連結性の保持はブラケットの長孔により調整出来る利点はあるが、外断熱建物への適用は、断熱層厚分の笠木幅（前後の立下り片間距離）が大となり、コストアップとなる。
また、前後の立下り片が被覆する形態で嵌合するため、パラペットにのみ適用可能であって、屋上床スラブ等の平坦な上端部構造には適用不可能である。
【０００６】
しかも、外壁上部前面に、長さ方向に段差のある場合には、段差部での前方へ突出した側の笠木端に小口塞ぎ部材を適用してシーリングするか、或いは、段差を備えた特別の笠木小片を製作して、突出側の広幅笠木と入り込み側の狭幅笠木との間に特別の段差笠木を介在し、両笠木端間に幅違いジョイント金具を製作して配置する必要があり、オープン笠木での外壁の段差への対処は、煩雑、且つ困難な作業であり、しかも、きれいな連続性保持は困難な作業であった。
【０００７】
図８（Ｂ）のアングル笠木は、オープン笠木のような両端支持ブラケットが無く、防水層上に直接圧接固定するため、取付けは容易であり、オープン笠木よりコスト面でも有利（コストはオープン笠木の１／４）であるが、面板を防水層上に直接載置して固定するため、高さ調整は、笠木面板と防水層との間に薄板（アルミ）パッキングを介在するが、パッキングの調整代が大きい場合は、アングル笠木の後部と防水層との間に隙間が生じ、雨水が侵入してナイロンプラグ（固定ネジ）から床スラブに浸透するため、シーリングを施す必要がある。
しかも、面板下方に通気空間が無いため、アングル笠木は、通気層を備えた外壁の上端への直ちの適用は考慮されていないものである。
【０００８】
そして、通気層を備えた外断熱の外壁の上端に、例え、アングル笠木を付設するにしても、防水層と外壁上端との間に天端材を介在して、アングル笠木の面板を外壁上端から通気空間を形成するようにし、且つ、図８（Ａ）のオープン笠木に示したような、外壁外側の断熱層及び通気孔を有する外装材の幅だけ外方へ突出付設する必要がある。
【０００９】
しかし、アングル笠木は面板後部で床スラブ又はパラペットのコンクリートに固定するだけであり、前端の立下り片は、面材の固定点より離れているため、矢印Ａの如き強風の作用により、常時煽られ、不快音の発生、雨水の防水層界面への浸入、及び笠木の浮揚変形を生じ、笠木が外れる危険すら存在する。
【００１０】
従ってアングル笠木は、現状では、外断熱通気工法にあっては、採用が危険であり、業界では、アングル笠木は、外断熱通気工法には採用不可能と認識されている。
本発明は、上述の如きオープン笠木及びアングル笠木の問題点を分析研究し、従来の笠木の問題点を解決又は改善した新規な笠木金具を開発し、鉄筋コンクリート造や鉄骨造の外断熱建物の外壁上端の有利な通気構造の提供を可能とするものである。
【００１１】
【課題を解決するための手段、及び作用】
本発明は、例えば図２に示す如く、内部に通気層ａ１，ａ２を備えたセメント板Ｐａ，Ｐａ´と断熱層Ｐｂとを層着した断熱複合パネルＰ，Ｐ０を外壁Ｗに備えた建物であって、外壁Ｗ上端では、該パネルＰ，Ｐ０のセメント板Ｐａ，Ｐａ´上端前部にブラケット１６を適宜間隔で固定し、前端の立下り板３Ｆと、天端水平板３Ｕと、天端水平板３Ｕの後部の立上り片３Ｂ下端から後方に延出する下段水平板３Ｄ、とを備えた笠木３の内部前端をブラケット１６に係止すると共に、下段水平板３Ｄを断熱複合パネルＰ，Ｐ０上部に固定し、断熱複合パネルＰ，Ｐ０の通気層ａ１，ａ２からの空気流ｆを笠木３の立下り板３Ｆから放出するようにした外断熱建物に於ける外壁上端の通気構造である（請求項１）。
【００１２】
尚、ブラケット１６は、笠木３の前部保持機能を奏すれば良く、従って、「笠木３の内部前端」は、立下り板３Ｆの内面をも含む広い意味である。
また、笠木３の下段水平板３Ｄの断熱複合パネルＰ，Ｐ０上部での「固定」の意は、図４の如く、複合パネルＰ上枠１０ｔへの直接固定のみならず、図５の如く、複合パネルＰ０に下地材としての板材１１を付設しておき、該板材１１に固定することも含み、図４、図５の如きネジ固定のみならず接着等の固定をも含む広い意味である。
また、外壁Ｗは、図２に示す如き、パネル厚Ｔ０の厚手の断熱複合パネルＰとパネル厚Ｔ０´の薄手の断熱複合パネルＰ０の、いずれかのパネルのみでの形成も、両パネルＰ，Ｐ０を混在使用して形成することも可能である。
【００１３】
従って、本発明は、笠木３を図４、図５に示す如く、断熱複合パネルＰ，Ｐ０上にのみ固定するため、断熱複合パネルＰやＰ０を外壁に備えたパネルＰ，Ｐ０の上端部なら、笠木３の装着が可能となり、パラペット上にも、屋上の床スラブ上にも、笠木３が適用可能である。
しかも、笠木３は、前端内部でのブラケット１６による係止と、後方に延出する下段水平板３Ｄの断熱複合パネルＰ又はＰ０上部への固定、との前後の２点止着であるために、断熱複合パネル上にのみの固定でありながら、強固な保持が達成出来、外壁パネルＰ，Ｐ０の通気層ａ１，ａ２からの充分な排気構造を保証すると共に、図４（Ｂ）の如く、矢印Ａの強風作用を受けても、従来のアングル笠木の如く浮揚することも無い。
そして、天端水平板３Ｕと下段水平板３Ｄとの間に立上り片３Ｂが存在するため、図４（Ｂ）の如く、下段水平板３Ｄ上を防水層４ａが被覆し、下段水平板３Ｄの断熱複合パネルＰ，Ｐ０への取付部からの雨水の浸入が阻止出来る。
【００１４】
また、外壁面が段差ＷＤを有する場合には、段差ＷＤ部では、断熱複合パネルＰ，Ｐ０上端面に固定した段差継ぎ部材２１に、両側から笠木３の端部を嵌入して笠木３を配置するのが好ましい。
この場合、外断熱外壁を意匠面から段差配置しても、また異なる厚さの壁パネルＰ，Ｐ０を併用することも可能となり、外壁形成の自由度が増す。
そして、段差継ぎ部材自体が断熱複合パネルＰ，Ｐ０上に固定されるため、断熱複合パネルＰ，Ｐ０上に強固に２点支持される笠木３と相俟って、強固、且つ、きれいな笠木配置が可能となる。
勿論、段差継ぎ部材の１側には、小口塞ぎ作用を奏する被覆片としての立下り片２１Ｆ´（図６）を付設しておけば、段差継ぎ作業が容易、且つ、きれいに仕上がる。
【００１５】
また、段差継ぎ部材２１は、段差ＷＤ部を被覆する天端面板２１Ｕと前部立下り片２１Ｆと小口閉塞用の側部立下り片２１Ｆ´とを備え、該継ぎ部材２１の両側から、突出側の笠木端３Ｅは、天端水平板３Ｕを天端面板２１Ｕ下面に、立下り板３Ｆを前部立下り片２１Ｆの内面に挿入し、入り込み側の笠木端３Ｅ´は、天端水平板３Ｕを天端面板２１Ｕの下面に、立下り板３Ｆを側面立下り片２１Ｆ´の後部溝２１Ｇに挿入するのが好ましい。
【００１６】
従って、外壁Ｗの前方への突出側からの笠木３も、入り込み側の笠木３も、共に、段差継ぎ部材２１へ嵌入するだけで、パネルに固定された継ぎ部材２１に、平滑、且つきれいに装着出来、従来の笠木段差部でのコーナー役物笠木での加工施工及び付属するシーリング作業等、煩雑、且つ、困難な作業での段差部処理よりも、遥かに合理的に、且つ、きれいに仕上がる。
尚、この場合、継ぎ部材２１には、天端面板２１Ｕの下面、及び立下り片２１Ｆの内面に笠木挿入用の溝２１Ｇを介してガイド片２１Ｍを付設しておけば、笠木端３Ｅ，３Ｅ´の挿入がよりスムーズとなり、有利である。
【００１７】
また、外壁Ｗが、図１に示す如く、断熱複合パネルＰ，Ｐ０とコンクリート壁ＷＣとの一体化した耐力壁Ｗ０部と、断熱複合パネルＰのみから成る帳壁Ｗ１部とを備えているのが好ましい。
この場合の外壁Ｗは、典型的には、本出願人が先に特願２００１−０２５１４２号として提案した鉄筋コンクリート造外断熱建築物である。
【００１８】
そして、該新規な建物は、帳壁パネルＰのみで帳壁Ｗ１部を構成するため、外壁の型枠工が耐力壁Ｗ０部のみとなり、外断熱建築物の建築費が大幅に合理化出来るものであり、該新規な外断熱建築物の外壁上部構造に本発明の通気構造を適用することにより、外壁の通気を保証し、且つ、強風にも耐えられる笠木配置が可能となり、しかも、帳壁Ｗ１部と耐力壁Ｗ０部との段差部もきれいに仕上がる。
勿論、帳壁用のパネルＰを耐力壁Ｗ０部に採用しても良く、この場合は、外壁を形成する全パネルＰを断熱層Ｐｂを面一に揃えて配置しても外壁面に段差は生じなく、笠木３の段差継ぎが不要となる。
【００１９】
また、耐力壁Ｗ０部は、内面に条溝ａ２を有するセメント板Ｐａ´と断熱層Ｐｂとを層着した耐力壁複合パネルＰ０を、コンクリート壁ＷＣと一体化形成し、帳壁Ｗ１部は、内部に貫通孔ａ１を有するセメント板Ｐａと断熱層Ｐｂとを層着してアングル鋼材の上枠１０ｔ及び下枠１０ｂを備えた帳壁複合パネルＰのみで形成するのが特に好ましい。
耐力壁Ｗ０部は、コンクリート壁ＷＣと一体化するため、耐力壁パネルＰ０は強度が必要なく、図２の如く、通気層ａ２と断熱層Ｐｂを備えた低コストのパネルＰ０の採用により、建築材料面からの合理化が達成出来、帳壁パネルＰは貫通孔ａ１を有する厚手のセメント板Ｐａと鋼材の上下枠１０ｔ，１０ｂを具備するため、帳壁としての必要強度を保持する。
【００２０】
従って、外壁Ｗの形成時に、帳壁Ｗ１部での壁型枠工の省略による型枠組みの合理化と、断熱複合パネルの帳壁Ｗ１部と耐力壁Ｗ０部での使い分けによる合理化により、外断熱建築物が合理的に建築出来る。
しかも、外壁上端での新規な笠木手段の併用により、充分な通気性能を備えた新規、且つ、画期的な通気性外断熱建築物が、合理的な建築費によって提供可能となる。
【００２１】
また、帳壁複合パネルＰのセメント板厚Ｔ１は耐力壁複合パネルＰ０のセメント板厚Ｔ１´より大であり、帳壁複合パネルＰと耐力壁複合パネルＰ０とは断熱層厚Ｔ２が同一であり、且つ、両複合パネルＰ，Ｐ０の断熱層Ｐｂを面一形態に配置するのが好ましい。
外断熱建築物に於いては、断熱層の配置形態が重要であり、各パネルＰ，Ｐ０の断熱層Ｐｂを面一に配置することにより、外壁の各パネル接続個所での熱的処理が不要、又は極めて容易となる。
【００２２】
そして、セメント板厚の異なる耐力壁パネルＰ０と帳壁パネルＰの各断熱層Ｐｂを面一に配置すれば、当然、外壁面で帳壁Ｗ１部が突出し、耐力壁Ｗ０部が入り込み、パネルＰとパネルＰ０との境界には段差ＷＤが生じるが、本発明の段差継ぎ部材２１を用いた段差ＷＤ部の処理手段の適用により、外壁上端の該段差ＷＤ部の処理が好適に、且つ、充分な通気機能を奏する形態できれいに実施出来、外壁の耐力壁Ｗ０部と帳壁Ｗ１部との凹凸は意匠効果すら発揮する。
【００２３】
また、笠木３の前端を係止保持するブラケット１６は、図３（Ｂ）に示す如く、下段水平片１６Ｄと上段水平片１６Ｕとを有し、下段水平片１６Ｄをセメント板Ｐａ，Ｐａ´上端前部に前後方向調整して取付けるのが好ましい。
笠木立下り板３Ｆは、外壁パネルＰ，Ｐ０の通気層ａ１，ａ２からの排気のために、パネル前面との間に間隔Ｇ３（図４、図５）を保持する必要があるが、ブラケット１６をセメント板Ｐａ，Ｐａ´の上端前部に取付ければ、ブラケット１６が小片と出来、しかも笠木上部内面の係止保持が合理的に実施出来る。
【００２４】
そしてこの場合、ブラケット１６は、図４、図５に示す如く、セメント板Ｐａ，Ｐａ´上端前部に下段水平片１６Ｄの前後方向の長孔Ｈ１６を介して固定し、上段水平片１６Ｕの前端を笠木３の内部前端に嵌入係止するのが、パネルＰ，Ｐ０と笠木３との前後方向位置調整が容易となり好ましい。
この場合、図３の如く、笠木３の立下り板３Ｆの基部に係合溝３Ｇを配置し、図４（Ｂ）の如く、ブラケット１６の上段水平片１６Ｕを係合溝３Ｇに嵌入係止すれば、ブラケット１６が小片であっても、笠木３の、天端水平板３Ｕの前端部の上下動規制を合理的に達成出来るので、特に有利である。
【００２５】
また、笠木３の下段水平板３Ｄの上面に防水層４ａを延設固着し、天端水平板３Ｕ後端と防水層表面Ｓ４との隙間Ｇ４にはシーリング４ｄを充填するのが好ましい。
この場合、笠木３の固定は、図４、図５の如く、下段水平板３Ｄの複合パネルＰ，Ｐ０上面の平坦面への固定となり、笠木３が従来（図８）の防水層上からの固定でないため、正確、且つ、安定した固定となり、ネジＮ３も防水層４ａで被覆されるため、従来の如きネジ固定孔からの雨水の浸入の恐れは生じない。
しかも、防水層４ａの端部もシーリング４ｄで処理するため、防水層４ａ面からの水の浸入は完全に阻止出来る。
【００２６】
また、笠木３の下段水平板３Ｄを、帳壁Ｗ１部にあっては帳壁複合パネルＰの上枠１０ｔに、耐力壁Ｗ０部にあっては耐力壁複合パネルＰ０の断熱層Ｐｂ上端の板材１１に固定するのが好ましい。
この場合、笠木３のパネルＰ，Ｐ０上面への取付けは、下段水平板３Ｄとパネル上端の平坦な上枠１０ｔ上面、又は下地材としての板材１１上面との取付けとなり、笠木３のネジＮ３又は接着剤による複合パネルＰ，Ｐ０上端面への固定が、均斉、且つ容易に実施出来、笠木３は、前端でのブラケット１６による係止保持と相俟って、前後２点での強固な固定となり、強風に煽られる損傷が抑制出来る。
【００２７】
また、本発明の笠木金具は、図３に示す如く、笠木３とブラケット１６とを含み、笠木３が、天端水平板３Ｕの前端からの立下り板３Ｆを連設すると共に、天端水平板３Ｕの後部の立上り片３Ｂ下端から後方に延出する下段水平板３Ｄを連設し、立下り板３Ｆの上端から内方への突出片３Ｍによって係合溝３Ｇを形成し、ブラケット１６が、上段水平片１６Ｕと垂直片１６Ｆと下段水平片１６Ｄから成り、下段水平片１６Ｄには取付用の前後方向の長孔Ｈ１６を有するものである（請求項１１）。
【００２８】
従って、該笠木金具にあっては、ブラケット１６が、複合パネル（帳壁パネル）Ｐにあっては、セメント板Ｐａの貫通孔ａ１間の仕切部Ｃ４から前面の板状部Ｃ１に亘る領域での長孔Ｈ１６を介した調整の下でのネジ固定で、複合パネル（耐力壁パネル）Ｐ０にあっては、セメント板Ｐａ´の板状部Ｃ３と引続く仕切部Ｃ５（図２）に亘る領域での長孔Ｈ１６を介した調整の下でのネジ固定で止着し、笠木３は、図４（Ｂ）、図５（Ｂ）の如く、立下り板３Ｆの係合溝３Ｇをブラケット上段水平片１６Ｕ先端と係合し、下段水平板３Ｄを各パネルＰ，Ｐ０上端にネジＮ３で固着することにより、各複合パネルＰ，Ｐ０上に笠木３を、前後の２点支持で強固に、且つ、ブラケット１６の前後位置調整により均斉に固定出来、しかも、ブラケット１６の垂直片１６Ｆと笠木立上り片３Ｂとの前後２点保持とによって、天端水平板３Ｕを所期の姿勢を保持した状態で固定出来る。
従って、該笠木３は、断熱複合パネルＰ，Ｐ０の上端にのみ２点支持で固定出来るため、断熱複合パネルＰ，Ｐ０を外壁に備えた外壁上端への装着が可能となり、パラペット上にも、屋上の床スラブ上にも適用可能である。
そして、立上り片３Ｂが存在するため、図４（Ｂ）、図５（Ｂ）の如く、断熱複合パネルＰ，Ｐ０上端に固定する下段水平板３Ｄ上には防水層４ａでの被覆が可能となり、下段水平板３Ｄの取付部からの雨水の下段水平板３Ｄ下方への浸入も阻止出来る。
【００２９】
また、笠木３が、立上り片３Ｂ下端から前方に延出する突出片３Ｄ´を備えているのが好ましい。
この場合、突出片３Ｄ´は、図５の如く、下段水平板３Ｄから前方への延出形態であるため、パネル厚Ｔ０´の薄い複合パネルＰ０の上面に対しても当接支持面の拡大機能を奏し、笠木３の複合パネルＰ，Ｐ０への安定的固定を可能とする。
【００３０】
また、突出片３Ｄ´が基部に切込溝３ａを備えているのが好ましい。
この場合、突出片３Ｄ´は、作業現場での切込溝３ａを介した折曲作用により、手作業で比較的簡単に切断除去出来る。
従って、図４（Ｂ）の如く、突出片３Ｄ´が笠木３の複合パネルＰ上面への安定固定のメリットよりも、複合パネルＰの通気層としての貫通孔ａ１の部分阻止のデメリットが重大な場合は、作業現場で突出片３Ｄ´を除去して使用すれば良く、各複合パネルＰ，Ｐ０に対する笠木３の適用の自由度が増す。
【００３１】
【発明の実施の形態】
〔断熱複合パネル（図２）〕
図２（Ａ）は、帳壁複合パネルＰの一部切欠斜視図である。
即ち、帳壁複合パネルＰは、セメント板Ｐａ、断熱層Ｐｂ、石膏ボードＰｃの積層一体化物であり、セメント板Ｐａは、厚さＴ１が６０mm、外側板状部Ｃ１及び内側板状部Ｃ２が１３mmで幅ａｗが３４mmの上下貫通孔ａ１を内部に並列配置した形態に、セメント、硅酸質原料及び繊維物質原料を混合して押出成形し、オートクレーブ養生した押出成形セメント板である。
【００３２】
また、断熱層Ｐｂは、厚さＴ２が７５mmの硬質発泡ウレタンフォームであり、内面に１２．５mm厚の石膏ボードＰｃを有している。
そして、上枠１０ｔ、下枠１０ｂ及び側枠１０ｓを備え、セメント板ＰａをＺクリップを介して上下枠１０ｔ，１０ｂに係止したものであり、標準的パネルＰにあっては、６００mmのセメント板Ｐａの３枚を上枠１０ｔ及び下枠１０ｂに係止したパネル幅が１８００mmのものであり、典型的には、本出願人等の所有する特許第２９９９９８０号の外断熱複合パネルである。
【００３３】
図２（Ｂ）は、耐力壁複合パネルＰ０の一部切欠斜視図である。
即ち、耐力壁複合パネルＰ０は、セメント板Ｐａ´と断熱層Ｐｂの一体化積層品であり、従来の乾式密層型の外断熱複合パネルのタイプであって、セメント板Ｐａ´は板厚Ｔ１が２５mmで内面に多数の並設条溝ａ２を備えており、断熱層Ｐｂは厚さＴ２が７５mmで条溝ａ２をつぶさないように、セメント板Ｐａ´内面に積層一体化したものである。
尚、複合パネルＰ０は、コンクリート壁ＷＣの外型枠として用いるため、パネルＰ０の中央部には壁型枠組み用のセパレータ挿入孔を、両端部には皿ボルト挿入孔を穿設したものである。
【００３４】
〔笠木金具（図３）〕
笠木金具は笠木とブラケットから成り、図３（Ａ）が笠木３の斜視図、図３（Ｂ）がブラケット１６の斜視図である。
即ち、笠木３は、複合パネルＰ，Ｐ０の上端面Ｂｔ，Ｂｔ´に配置して屋上パラペットＰＲ又は屋上床の防水層４ａの端部を処理すると共に、外壁と屋上との見切りの役目、及び外壁パネルＰ，Ｐ０の通気層ａ１，ａ２からの空気流出を保証する部材であり、一般厚が２mm厚のアルミ製で、３０００mm長の直線部材である。
【００３５】
図３（Ａ）の如く、笠木３は、全幅ｄ３０が１２５mm、天端水平板３Ｕの幅ｄ３１が７５mm、下段水平板３Ｄの幅ｄ３２が６０mm、全高ｈ３０が４５mm、立上り片３Ｂの高さｈ３１が１８mm、下段水平板３Ｄから前方への突出片３Ｄ´の幅ｄ３３が２５mm、天端水平板３Ｕの前端からは高さｈ３０（４５mm）の立下り板３Ｆが垂下し、先端には水切役目の７mm長のアンカー片３Ｆ´を４５°で前方へ延出すると共に、立下り板３Ｆの強度保持用及びアンカー片３Ｆ´からの上昇雨水の水切り役の突出片３Ｍ´を５mm長突出している。
また、立下り板３Ｆの上端内部にも５mm幅の突出片３Ｍを後方に突出し、天端水平板３Ｕ下面と突出片３Ｍとの間に幅２．５mmの係合溝３Ｇを形成したものであり、突出片３Ｄ´の基部には接曲用の溝３ａを付設したものである。
【００３６】
また、ブラケット１６は、図３（Ｂ）に示す如く、２mm厚のアルミ製の板金屈曲片であって、上段水平片１６Ｕの幅ｄ１６が１２mm、垂直片１６Ｆの高さｈ１６が１８mm、下段水平片１６Ｄの幅ｄ１６´が２５mmで、中央には幅４mm、長さ８mmの長孔Ｈ１６を備えたものであり、長さＬ１６は３０mmである。
【００３７】
〔段差継ぎ部材２１（図６、図７）〕
図６（Ａ）は段差継ぎ部材２１の斜視図であり、図６（Ｂ）は図６（Ａ）の矢印Ｂ斜視図、即ち平面図であり、図６（Ｃ）は、図６（Ａ）の矢印Ｃ斜視図、即ち側面図である。
継ぎ部材２１は、両側から各笠木端を挿入するための挿入溝２１Ｇ，２１Ｇ´と、笠木継ぎ部を覆う天端面板２１Ｕを備えた金属板状片の組合せ一体化物である。
勿論、６ナイロン等のプラスチックで成形しても良い。
そして、図６に示す如く、天端面板２１Ｕと前部立下り片２１Ｆと側部立下り片２１Ｆ´とを備え、１側の突出側（ＳＲ側）の笠木端３Ｅの挿入部は、前部立下り片２１Ｆと内側の立下りガイド片２１Ｍ´とを挿入溝２１Ｇを介して並設し、天端面板２１Ｕと下面の水平ガイド片２１Ｍとを挿入溝２１Ｇを保って並設し、各ガイド片２１Ｍ，２１Ｍ´は平滑挿入を助けるために若干（１５mm）突出させた構造である。
【００３８】
また、他側の入り込み側（ＳＬ側）の笠木端３Ｅ´の挿入部は、前部立下り片２１Ｆに直交する側部立下り片２１Ｆ´を有し、該側部立下り片２１Ｆ´の後部垂直縁ＶＥと挿入溝２１Ｇを保って側部立下り片２１Ｆ´と直交する立下りガイド片２１Ｍ´を有し、天端面板２１Ｕと挿入溝２１Ｇを保って水平ガイド片２１Ｍを備えた構造であり、側部立下り片２１Ｆ´が段差ＷＤの小口覆いの役割を果すものであり、側部立下り片２１Ｆ´の幅ＷＳは外壁Ｗの段差ＷＤの寸法に応じて設定する。
また、１側の挿入部ＳＲ側も、他側の挿入部ＳＬ側も、共に、水平ガイド片２１Ｍと立下りガイド片２１Ｍ´とが成す角部には挿入溝２１Ｇ´を形成する。
【００３９】
そして、これら各板状の天端面板２１Ｕ、前部立下り片２１Ｆ、側部立下り片２１Ｆ´、水平ガイド片２１Ｍ、立下りガイド片２１Ｍ´は、補強、兼ストッパーの役割を果す仕切片２１Ｐにより一体化しており、仕切片２１Ｐの下面からは、継ぎ部材２１を断熱複合パネルＰ，Ｐ０の上端に固定するためのベース２１Ｂを突出形成する。
尚、ベース２１Ｂと天端面板２１Ｕ後部との間隔は、笠木３同様に、屋上の防水層４ａを載置貼着し、シーリング４ｄ（図４）を充填するためである。
また、前部立下り片２１Ｆ及び側部立下り片２１Ｆ´の下端には、それぞれ水切用の斜片２１Ｆ"を設ける。
【００４０】
段差継ぎ部材２１の寸法関係は、ＳＲ側（笠木突出側）、ＳＬ側（笠木入り込み側）共、天端面板２１Ｕと水平ガイド片２１Ｍとの挿入溝２１Ｇに笠木３の天端水平板３Ｕが、前部立下り片２１Ｆと立下りガイド片２１Ｍ´との挿入溝２１Ｇ、及び側部立下り片２１Ｆ´の後部垂直縁ＶＥと立下りガイド片２１Ｍ´との間の挿入溝２１Ｇは、笠木３の立下り板３Ｆが挿入嵌合する寸法である。
また、ＳＲ側及びＳＬ側の各水平ガイド片２１Ｍと立下りガイド片２１Ｍ´の角部外側の挿入溝２１Ｇ´は、笠木３のブラケット係止用の突片３Ｍが嵌入する寸法であり、ＳＲ側、ＳＬ側の仕切片２１Ｐは、各笠木端３Ｅ，３Ｅ´の挿入位置を規制する壁である。
尚、図６、図７はＳＲ側（右側）が突出部であるが、建材としては、ＳＲ側が入り込み側でＳＬ側が突出側となる継ぎ部材２１も用意する。
【００４１】
〔外壁上端の通気構造形成〕
図１は、本出願人が、先に特願２００１−０２５１４２号として提案した新規な外断熱建築物に本発明を適用した図であって、鉄筋コンクリート造外断熱建築物の外壁Ｗは、図１に示す如く、耐力壁Ｗ０部と耐力壁Ｗ０部間に窓等の開口部を含む広い領域の帳壁Ｗ１部とを形成する。
即ち、耐力壁Ｗ０部は、慣用の工法で耐力壁複合パネルＰ０（図２）をコンクリート壁型枠に用いて型組みし、帳壁Ｗ１部では、帳壁複合パネルＰを耐力壁複合パネルＰ０と断熱層Ｐｂを面一になるように、下枠１０ｂをコンクリート床スラブ前端に固定した金具（図示せず）に係止し、上枠１０ｔを固定金具（図示せず）を介して上階床スラブ型枠に組付け、床スラブコンクリートと耐力壁コンクリートとを同時に打設し、耐力壁Ｗ０部では耐力壁複合パネルＰ０とコンクリート壁ＷＣとの一体化した耐力壁Ｗ０を、各耐力壁Ｗ０部間には帳壁複合パネルＰのみから成る帳壁Ｗ１部を形成する。
【００４２】
図１は、基礎１の上に外壁Ｗを形成し、慣用の腰水切２、窓５等を配置した状態であり、外壁Ｗを構成する耐力壁複合パネルＰ０は、通気層ａ２により、帳壁複合パネルＰは通気層ａ１により、それぞれ外壁下端の腰水切２から上端まで、外壁Ｗは通気可能に各複合パネルＰ，Ｐ０相互を上下に連接しておく。
耐力壁複合パネルＰ０と帳壁複合パネルＰとを、断熱層Ｐｂを同一面に揃えて配置したため、外壁面は、帳壁複合パネルＰが突出し、耐力壁複合パネルＰ０が入り込んだ形態となる。
【００４３】
笠木３は、帳壁Ｗ１部では、図４に示す如く、帳壁複合パネルＰのセメント板Ｐａの上端前部の板状部Ｃ１から仕切部Ｃ４に亘る部分に、ブラケット１６の下段水平片１６Ｄを、長孔Ｈ１６を介してネジＮ１６で固定し、各ブラケット１６を約６００mmの間隔で配置し、該ブラケット１６の上段水平片１６Ｕの前端に笠木の係合溝３Ｇを嵌合し、笠木３の下段水平板３Ｄを帳壁複合パネルＰの上枠１０ｔにネジＮ３で固定する。
尚、下段水平板３Ｄと同じレベルの突出片３Ｄ´は基部の切込溝３ａから切落しておく。
【００４４】
また、耐力壁Ｗ０部では、図５に示す如く、耐力壁複合パネルＰ０のセメント板Ｐａ´の板状部Ｃ３から仕切部Ｃ５に亘る部分に、ブラケット１６の下段水平片１６Ｄを、長孔Ｈ１６を介してネジＮ１６で固定し、各ブラケット１６を約６００mmの間隔で配置し、笠木３の係合溝３Ｇをブラケット上段水平片１６Ｕの前端に嵌合し、笠木３の下段水平板３Ｄを耐力壁複合パネルＰ０の断熱層Ｐｂ上に予め接着固定した板材１１にネジＮ３で固定する。
【００４５】
図１に示す如く、外壁Ｗの帳壁Ｗ１部（突出部）と耐力壁Ｗ０部（入り込み部）との境界の段差ＷＤ部には、図７（Ａ）に示す如く、段差継ぎ部材２１を帳壁複合パネルＰの端部に、ベース２１Ｂを上枠１０ｔにネジＮ２１で固定する。
そして、段差継ぎ部材２１のＳＲ側からとＳＬ側から、それぞれ、笠木端３Ｅ，３Ｅ´を、笠木の天端水平板３Ｕを継ぎ部材２１の天端面板２１Ｕと水平ガイド片２１Ｍとの隙間の挿入溝２１Ｇに、笠木のＳＲ側の立下り板３Ｆを継ぎ部材２１の前部立下り片２１Ｆと立下りガイド片２１Ｍ´との隙間の挿入溝３Ｇに、笠木のＳＬ側の立下り板３Ｆを、継ぎ部材２１の側部立下り片２１Ｆ´の後部垂直縁と立下りガイド片２１Ｍ´との隙間の挿入溝２１Ｇに挿入し、各笠木端３Ｅ，３Ｅ´の上部内面の突出片３Ｍを、それぞれ継ぎ部材２１の挿入溝２１Ｇ´に挿入する。
【００４６】
次いで、屋上から延設した防水層４ａを笠木３の下段水平板３Ｄ上に配置し、図４、図５に示す如く、防水層４ａの端部を笠木３の立上り片３Ｂに当接形態として天端水平板３Ｕと防水層４ａの表面Ｓ４のとの隙間にシーリング４ｄを充填する。
勿論、段差継ぎ部材２１にあっても、図６（Ｃ）及び図７（Ａ）から明らかな如く、ベース２１Ｂは、笠木の下段水平板３Ｄと同様に複合パネルＰ，Ｐ０の上端面にネジＮ２１で固定し、且つ、天端面板２１Ｕよりも後方まで延出しているため、防水層４ａは、継ぎ部材のベース２１Ｂ上で後端の仕切片（ストッパー）２１Ｐ（図６（Ｂ））に当接し、天端面板２１Ｕと防水層４ａとの隙間にもシーリング４ｄ（図示せず）を充填する。
【００４７】
〔実施効果〕
鉄筋コンクリート造外断熱建築物として構造上必要な耐力壁Ｗ０部以外の外壁を外断熱複合パネルＰのみの帳壁としたため、従来の非耐力壁部でのコンクリート壁型枠工が省略出来、建築コストが大幅に合理化出来る。
また、外壁パネルＰ，Ｐ０は、従来の外断熱工法では最も低コストの密着型を採用しながら、内部に通気層ａ１，ａ２を有するため、外装材（セメント板Ｐａ，Ｐａ´）と断熱層Ｐｂとの境界面に生じる内部結露を防止し、且つ、ヒートストレスを受ける外装材の保護も可能となり、外装材の耐久性が向上する。
【００４８】
更に、外壁上端は、パラペットＰＲの有無に関係なく、セメント板を外装材として備えた外断熱複合パネルＰ，Ｐ０を用いる鉄筋コンクリート造又は鉄骨造外断熱建築物全てに本発明の笠木３が適用出来る。
そして、本発明笠木３は、アングル笠木の系統に属しながら、屋上防水層４ａに影響されることなく複合パネルＰ，Ｐ０上端に精度良く取付けることが出来、しかも、前端部と後端部の２点支持のため、強風に煽られても、浮揚、変形、損傷を生じない強固な配置が可能であり、且つ、外壁の通気層ａ１，ａ２からの排気が図４（Ｂ）及び図５（Ｂ）の空気流ｆの如く、保証出来る。
【００４９】
即ち、本発明の笠木は、コスト面では、従来のオープン笠木の１／３であり、アングル笠木より若干（９%位）のコストアップでありながら、従来のオープン笠木及びアングル笠木では期待出来ない取付作業性及び機能上の画期的メリットを奏する。
更に、外壁に段差ＷＤ部があっても、新規な段差継ぎ部材２１によって合理的、且つ、きれいに連結出来、従来の留め具やシーリング等の煩雑な作業が合理化出来る。
【００５０】
即ち、実施態様で得られる建物は、鉄筋コンクリート造の外断熱通気層建築物としての断熱性、結露防止性、耐火性等の所望機能全てを具備しながら、帳壁Ｗ１部を外断熱複合パネルＰのみで形成することにより、大幅な建築コストの低減が可能となり、外壁Ｗの耐力壁Ｗ０部と帳壁Ｗ１部への笠木３の配置も、従来のオープン笠木よりもはるかに低コストの笠木によって簡単、且つ容易に達成出来、従来の鉄筋コンクリー造外断熱建築と比較して、画期的な建築費の合理化が達成出来る。
【００５１】
〔その他〕
図１の笠木３の直線状の継ぎ部Ａ、出隅部Ｂ、入隅部Ｃは、従来慣用の各種継ぎ部材を、本発明笠木３の断面形上に適合出来るようにアレンジして使用することが出来るが、この場合、これら各部の継ぎ部材（図示せず）も、本発明の新規な笠木金具同様に、外壁の断熱複合パネルＰ，Ｐ０上端面Ｂｔ，Ｂｔ´にのみ固定するのが有利である。
また、笠木３を帳壁パネルＰ上に配置する場合には、突片３Ｄ´を切落さなくても、貫通孔ａ１は耐力壁パネルＰ０の条溝ａ２と同様か、それ以上の通気性能を保持する。
【００５２】
また、帳壁パネルＰは、コンクリート躯体（床スラブ）との結合強度及び外壁としての強度を保持すれば良いので、図２（Ａ）の特許第２９９９９８０号のパネル以外の、鋼材の上枠１０ｔ及び下枠１０ｂを備え、側枠１０ｓと同等又はそれ以上の強度を発揮する補強鋼板（図示せず）を上下枠１０ｔ，１０ｂ間に固定したパネルの採用が可能であり、この場合、鋼材側枠１０ｓが存在しないため熱橋阻止上有利である。
【００５３】
【発明の効果】
本発明は、笠木３を断熱複合パネルＰ，Ｐ０のセメント板Ｐａ，Ｐａ´と断熱層Ｐｂ上部とに固定するため、セメント板Ｐａ，Ｐａ´を外装材とする断熱複合パネルを外壁に備えた外壁上端部なら笠木３の装着が可能であり、パラペットＰＲ上にも、屋上の床スラブ上にも適用可能である。
しかも、笠木３は、前端内部でのブラケット１６による係止保持と、後方に延出する下段水平板３Ｄとの前後の２点止着であるために強固な保持が達成出来、外壁パネルＰ，Ｐ０の通気層ａ１，ａ２からの充分な排気構造を保証すると共に、強風作用を受けても、従来のアングル笠木の如く、浮揚、損傷を生じない。
【００５４】
また、新規な笠木３に新規な段差継ぎ部材２１を併用することにより、外断熱外壁を段差ＷＤ配置して外壁の意匠効果を発揮することも、厚さの異なる断熱複合パネルＰ，Ｐ０を併用することも可能となり、外断熱建築物に於ける外壁設計の自由度が向上する。
しかも、段差継ぎ部材２１自体も断熱複合パネルＰ，Ｐ０上に固定するため、断熱複合パネルＰ，Ｐ０上に前後の２点支持で強固に保持される笠木３と相俟って、強固、且つ、きれいな笠木配置が可能となる。
【００５５】
また、外壁Ｗは、断熱複合パネルＰ，Ｐ０とコンクリート壁ＷＣとの一体化した耐力壁Ｗ０部と、断熱複合パネルＰのみの帳壁Ｗ１部とで形成するため、外壁Ｗの型枠工が耐力壁Ｗ０部のみとなり、帳壁Ｗ１部での壁型枠工が省略出来て外断熱建築物の建築費が大幅に合理化出来る。
しかも、外壁上端での新規な笠木手段の併用により、充分な通気性能を備えた新規、且つ、画期的な通気性外断熱建築物が、合理的な建築費によって提供可能となる。
【００５６】
本発明の笠木金具にあっては、ブラケット１６は、帳壁パネルＰでは、セメント板Ｐａの前面の板状部Ｃ１と仕切部Ｃ４に亘る領域に、耐力壁パネルＰ０では、セメント板Ｐａ´の板状部Ｃ３と引続く仕切部Ｃ５の領域に、長孔Ｈ１６を介して前後調整しながら固着出来、笠木３は、立下り板３Ｆの係合溝３Ｇをブラケット上段水平片１６Ｕの先端と係合し、下段水平板３Ｄを各パネルＰ，Ｐ０上端にネジＮ３で固着出来るため、帳壁複合パネルＰ、及び耐力壁複合パネルＰ０上に笠木を前後２点支持で強固に、且つ前後位置を均斉に配置出来る。
しかも、ブラケット１６の垂直片１６Ｆと笠木３の立上り片３Ｂとによって、笠木３は、天端水平板３Ｕが所期の姿勢を保持した状態で強固に配置出来る。
【図面の簡単な説明】
【図１】本発明外壁の説明斜視図である。
【図２】本発明パネルの斜視図であって、（Ａ）は帳壁パネルＰであり、（Ｂ）は耐力壁パネルＰ０である。
【図３】本発明の笠木金具の斜視図であって、（Ａ）は笠木３であり、（Ｂ）はブラケット１６である。
【図４】本発明の帳壁Ｗ１部上端説明図であって、（Ａ）は側面図であり、（Ｂ）は（Ａ）のＢ部拡大図であり、（Ｃ）は（Ａ）のＣ部の斜視図である。
【図５】本発明の耐力壁Ｗ０部上端説明図であって、（Ａ）は側面図であり、（Ｂ）は（Ａ）のＢ部拡大図である。
【図６】本発明に用いる段差継ぎ部材２１の説明図であって、（Ａ）は全体斜視図、（Ｂ）は（Ａ）の平面図、（Ｃ）は（Ａ）のＣ方向側面図である。
【図７】段差継ぎ部材２１の説明図であって、（Ａ）は継ぎ部材２１と笠木３及びパネルＰ，Ｐ０の関係を示す平面図、（Ｂ）は笠木を段差継ぎした状態の斜視図である。
【図８】従来例図であって、（Ａ）はオープン笠木の利用状態を、（Ｂ）はアングル笠木の利用状態を示す図である。
【符号の説明】
１：基礎、            ２：腰水切、            ３：笠木、
３ａ：切込溝、        ３Ｂ：立上り片、      ３Ｄ：下段水平板、
３Ｄ´：突出片、      ３Ｆ：立下り板、      ３Ｆ´：斜片（アンカー片）、
３Ｇ：係合溝、        ３Ｍ，３Ｍ´：突出片、  ３Ｕ：天端水平板、
４：屋上、            ４ａ：防水層、          ４ｂ、４ｂ´：断熱層、
４ｃ：防水下地モルタル、                      ４ｄ：シーリング、
５：窓、              １０ｔ：上枠、          １０ｂ：下枠、
１０ｓ：側枠、        １１：板材（下地材）、  １６：ブラケット、
１６Ｄ：下段水平片、  １６Ｆ：垂直片、        １６Ｕ：上段水平片、
２１：段差継ぎ部材（継ぎ部材）、              ２１Ｂ：ベース、
２１Ｆ：前部立下り片、                        ２１Ｆ´：側部立下り片、
２１Ｆ"：斜片、                              ２１Ｇ，２１Ｇ´：挿入溝、
２１Ｍ：水平ガイド片（ガイド片）、
２１Ｍ´：立下りガイド片（ガイド片）、
２１Ｐ：仕切片（ストッパー）、                ２１Ｕ：天端面板、
ａ１：貫通孔（通気層）、                      ａ２：条溝（通気層）、
Ｂｅ，Ｂｅ´：パネル下端面、              Ｂｔ，Ｂｔ´：パネル上端面、
Ｃ１，Ｃ２，Ｃ３：板状部（板部）、            Ｃ４，Ｃ５：仕切部、
Ｐ：帳壁複合パネル（断熱複合パネル）、
Ｐ０：耐力壁複合パネル（断熱複合パネル）、
Ｐａ，Ｐａ´：セメント板（外装板）、          Ｐｂ：断熱層、
Ｐｃ：石膏ボード（内装材）、
Ｗ：外壁、              Ｗ０：耐力壁、        Ｗ１：帳壁、
Ｈ１６：長孔、          Ｎ３，Ｎ１６：ネジ
【図１】
0003664697.tif 000002
【図２】
0003664697.tif 000003
【図３】
0003664697.tif 000004
【図４】
0003664697.tif 000005
【図５】
0003664697.tif 000006
【図６】
0003664697.tif 000007
【図７】
0003664697.tif 000008
【図８】
0003664697.tif 000009